(57)【要約】【課題】接着剤、ステープル或いは粘着テープ等を使用せずに簡単な操作で容易に組み立て可能で、しかもフラップの係合を確実に維持することが出来るようにする。【解決手段】包装用箱は、側上フラップ６ａ、６ｂと端上フラップ７、７とにより上面上面を閉じるものである。さらに、側上フラップ６ａ、６ｂは、それらを折線から箱の上面側に折り曲げ、箱の上面を閉じた時に、それらの端縁が上下に重なる高さとすると共に、一方の側上フラップ６ｂの端縁の中央部に側パネル側との折線へ向けて並行に一対の切込８、８を入れ、これら切込８、８を、箱の上面側に折り曲げた端上フラップ７、７の端縁の間に位置させる。側上フラップ６ａ、端上フラップ７、７及び前記切込８、８が設けられた側上フラップ６ｂの順に箱の上面側に折り曲げて重ね合わせると共に、上側の側上フラップ６ｂの切込８、８の間の部分を下側の側上フラップ６ａの端縁の下に差し込んで固定する。【選択図】    図３
2004359279.tif 000002
【特許請求の範囲】
【請求項１】
内部に収納物を収納する箱であって、その対向する一対の側面を構成する側パネル（１）、（１）と、箱の対向する一対の端面を構成する端パネル（２）、（２）とが折線を介して交互に連なり、最も端の側パネル（１）と端パネル（２）の側辺が互いに接合され、側パネル（１）、（１）と端パネル（２）、（２）の上辺の折線から箱の上面を閉じる側上フラップ（６ａ）、（６ｂ）と端上フラップ（７）、（７）とがそれぞれ延設され、これら端上フラップ（７）、（７）と側上フラップ（６ａ）、（６ｂ）とを箱の内側に折り曲げて箱の上面を閉じる包装用箱において、側上フラップ（６ａ）、（６ｂ）は、それらを折線から箱の上面側に折り曲げ、箱の上面を閉じた時に、それらの端縁が上下に重なる高さにすると共に、一方の側上フラップ（６ｂ）の端縁の中央部に側パネル側との折線へ向けて並行に一対の切込（８）、（８）を入れ、これら切込（８）、（８）を、箱の上面側に折り曲げた端上フラップ（７）、（７）の端縁の間に位置するようにし、前記切込（８）、（８）が無い側上フラップ（６ａ）、端上フラップ（７）、（７）及び前記切込（８）、（８）が設けられた側上フラップ（６ｂ）の順に箱の上面側に折り曲げて重ね合わせると共に、上側の側上フラップ（６ｂ）の切込（８）、（８）の間の部分を下側の側上フラップ（６ａ）の端縁の下に差し込んで固定したことを特徴とする包装用箱。
【請求項２】
切込（８）、（８）が無い側上フラップ（６ａ）の中央部に、同側上フラップ（６ａ）の端縁を引き起こすための指掛け部（９）を有することを特徴とする請求項１に記載の包装用箱。
【発明の詳細な説明】
【０００１】
【発明の属する技術分野】
本発明は、段ボール板等のブランクを折り曲げて作る箱状の包装用箱に関し、特に折り畳んだ状態から接着剤、ステープル或いは粘着テープ等を使用せずに簡単に箱状の容器を組み立てることができ、また箱状の容器から収納物を取り出した後は、簡単に二重に折り畳むことができ、そのため通い箱等として利用して好適な包装用箱に関する。
【０００２】
【従来の技術】
従来最も一般的な包装容器の一つとして、段ボール板等のブランクを折り曲げて作る箱状の包装用箱がある。例えば、ブランクを縦に平行な４本の折れ線で同じ方向に順次折り曲げ、その両端縁を接着やステープル止めすることにより、四角筒状の胴部を形成し、この胴部の下辺から延設した底フラップを内側に折り曲げて箱の下面と閉じ、胴部の上辺から延設した上フラップを内側に折り曲げて箱の上面を閉じる。
【０００３】
このような包装用箱では、箱の底面を閉じた状態で箱の内部に収納物を収納し、その後箱の上面を閉じる。箱の底面は、接着剤、ステープル或いは粘着テープ等を使用して収納物の重量に耐えることができるようにしっかりと閉じる。また、上面は搬送中に簡単に開かないようにやはり前記の接着剤、ステープル、粘着テープ或いは他の適宜の手段によって閉じる。
【０００４】
大半の段ボール箱は、収納物である物品を搬送した後、収納先で分解され、廃棄されるかまたはリサイクル業者に回収される。今日、段ボールのリサイクル化が図られると共に、古紙原紙の価格が比較的高値に推移している経済的背景もあって、リサイクルされる段ボール箱の割合は、８０％を越えており、相当の割合の使用済み段ボール箱がリサイクルされている。しかしなおリサイクル率は１００％には至っていない。
【０００５】
段ボール箱のブランクとなる段ボール板は、木材パルプから作られる紙を使用した製品であり、さらにその省資源化が要請されている。段ボールのリサイクルには、リサイクル工場等の設備を必要とし、その設備によるリサイクル処理を要するため、リサイクルコストの低減が課題となる。
【０００６】
段ボール箱の省資源化のために古くから用いられている形態として、いわゆる通い箱がある。これは、段ボール箱を収納物の搬送元とその搬送先とで往復して繰り返す使用する形態である。この通い箱は、物品を取り出した後の段ボール箱の保管や送り返す時の収納効率や搬送効率を高めるため、空の段ボール箱を容易に折り畳めるようにすることが必要である。
【０００７】
いわゆる通い箱において最も問題となる課題が箱を閉じる手段である。前述のように、段ボール箱では、一般的にフラップを接着剤、ステープル或いは粘着テープ等で連結する手段がとられる。しかし、接着剤、ステープル或いは粘着テープでフラップを止める手段では、段ボール箱を開封し、折り畳む度に接着剤、ステープル或いは粘着テープを取った部分が劣化し、次第にフラップの縁の強度が低下するという問題がある。
【０００８】
そこで、通い箱では、接着剤、ステープル或いは粘着テープを使わず、箱のフラップに連結機能を持たせ、これを係合したり解除したりして箱を開閉する手段がとられている。このようにフラップに連結機能を持たせ、これを係合したり解除したりして箱を開閉するようにした箱は従来も多くのものが提案され、開発されている。
【０００９】
【発明が解決しようとしている課題】
しかし、この種の包装用箱は、箱の上面等を閉じるフラップを係合したり、その係合を解除する手順が複雑なものが多く、手際よく箱の開閉を行うのに或る程度の慣れが必要である。また、慣れても箱の上面を閉じる作業時間を短くするには限度がある。野菜や果物等の青果物の出荷場では、多量の箱を取り扱うことが多く、出来るだけ簡単に開閉出来る包装用箱が望まれている。
一方で、簡単にフラップの係合が行えても、簡単にその係合が外れてしまうと、搬送時に箱が開いてしまう等の不都合が生じる。
【００１０】
本発明は、前記のような従来の段ボール箱等の包装用箱の課題に鑑み、通い箱等として接着剤、ステープル或いは粘着テープ等を使用せずに簡単な操作で容易に組み立てることが可能で、しかも箱上面でフラップの固定を確実に維持することが可能な包装用箱を提供することを目的とする。
【００１１】
【課題を解決するための手段】
本発明では、前記の目的を達成するため、側上フラップ６ａ、６ｂを箱の上面に折り曲げたとき、それらの端縁が互いに重なり合うようにすると共に、一方の側上フラップ６ｂの端縁に側パネル１側に向けて並行に一対の切込８、８を設けた。そして、切込８、８を有していない他方の側上フラップ６ａを端上フラップ７、７より先に折線から箱の上面に折り曲げ、その後端上フラップ７、７を折線から箱の上面に折り曲げ、これらを前記側上フラップ６ａの両側に重ね合わせる。そして最後に端縁に切込８、８を有する側上フラップ６ｂを折線から箱の上面に折り曲げ、この側上フラップ６ｂの両側部分を端上フラップ７、７に重ね、さらにこの側上フラップ６ｂの切込８、８の間の部分を、先に箱の上面に折り曲げた前記側上フラップ６ａの端縁部の下に挿入するようにした。このとき、切込８、８は、両側の端上フラップ７、７の間に位置するようにする。
【００１２】
より具体的に説明すると、本発明が適用される包装用箱は、対向する一対の側面を構成する側パネル１、１と、箱の対向する一対の端面を構成する端パネル２、２とが折線を介して交互に連なり、最も端の側パネル１と端パネル２の側辺が互いに接合され、側パネル１、１と端パネル２、２の上辺の折線から箱の上面を閉じる側上フラップ６ａ、６ｂと端上フラップ７、７とがそれぞれ延設され、これら端上フラップ７、７と側上フラップ６ａ、６ｂとを箱の内側に折り曲げて箱の上面を閉じるものである。
【００１３】
本発明でこのような包装用箱において、側上フラップ６ａ、６ｂは、それらを折線から箱の上面側に折り曲げ、箱の上面を閉じた時に、それらの端縁が上下に重なる高さとすると共に、一方の側上フラップ６ｂの端縁の中央部に側パネル側との折線へ向けて並行に一対の切込８、８を入れ、これら切込８、８を、箱の上面側に折り曲げた端上フラップ７、７の端縁の間に位置するようにし、前記切込８、８が無い側上フラップ６ａ、端上フラップ７、７及び前記切込８、８が設けられた側上フラップ６ｂの順に箱の上面側に折り曲げて重ね合わせると共に、上側の側上フラップ６ｂの切込８、８の間の部分を下側の側上フラップ６ａの端縁の下に差し込んで固定したものである。
【００１４】
このような本発明による包装用箱では、一方の側上フラップ６ａを端上フラップ７、７より先に折り曲げること、及び側上フラップ６ｂの切込８、８の間の部分を先に折り曲げた側上フラップ６ａの端縁部の下に差し込むこと以外は、他の包装用箱の上面を閉じる動作と異なることが無い。そしてこのようにして箱の上面を閉じた状態では、側上フラップ６ｂの切込８、８の間の部分は、先に折り曲げた側上フラップ６ａの端縁部の下にあり、また側上フラップ６ｂの切込８、８の両側の部分は端上フラップ７、７の上にある。このため、先に折り曲げた側上フラップ６ａと端フラップ７、７とは、側上フラップ６ｂの切込８、８の間の部分と側上フラップ６ｂの切込８、８の両側部分とによって確実に挟持される。
【００１５】
このような箱において、切込８、８が無い側上フラップ６ａの中央部に、同側上フラップ６ａの端縁を引き起こすための指掛け部９を設けると、箱の上面を開封する際に、側上フラップ６ｂの切込８、８の間の部分が差し込まれた側上フラップ６ａの中央部を上に引き起こし、それらの係合の解除をする動作が容易になる。
【００１６】
【発明の実施の形態】
次に、図面を参照しながら、本発明の実施の形態について、具体的且つ詳細に説明する。
図１は、本発明の一実施形態による一般的な包装用箱の本体のブランクの展開図である。この包装用箱のブランクは紙製の波状のシートからなる中芯をライナーでラミネートした段ボール板を使用する。段ボール板を図１に実線で示すように打ち抜くと共に、破線で示すように折れ線を入れることにより、組み立て前のブランクが出来上がる。
【００１７】
図１に示す包装用箱のブランクでは、矩形の側パネル１、１と端パネル２、２とが折れ線を介して交互に連なっている。それら側パネル１、１と端パネル２、２の高さは何れも同じであり、２つの側パネル１、１と端パネル２、２の幅はそれぞれ等しく、側パネル１、１と端パネル２、２とでは幅が異なっている。側パネル１、１と端パネル２、２の高さと幅は、その用途や収納物の大きさ等に応じて異なることは言うまでもない。
【００１８】
端にある側パネル１の側辺からは、折れ線を介して接合フラップ３が延設されており、端にある端パネル２には、そのような接合フラップは延設されていない。
側パネル１、１の下辺の折線からは、底外フラップ４、４が延設されている。この底外フラップ４、４の長さ（図１において左右の寸法）は、側パネル１、１の幅より若干狭く、またその高さ（図１において上下の寸法）は、端パネル２の幅の約１／２である。
【００１９】
端パネル２、２の下辺の折れ線からは底内フラップ５、５が延設されている。この底内フラップ５、５の長さ（図１において左右の寸法）は、端パネル２、２の幅より若干狭く、またその高さ（図１において上下の寸法）は、前記底外フラップ４、４と同じである。
【００２０】
側パネル１、１の上辺の折線からは、側上フラップ６ａ、６ｂが延設されている。この側上フラップ６ａ、６ｂの長さ（図１において左右の寸法）は、側パネル１、１の幅より若干狭い。また一方の側上フラップ６ａの高さ（図１において上下の寸法）は、端フラップ２、２の幅の１／２より高くなっている。他方の側上フラップ６ａの高さは前記側上フラップ６ａの高さより低いが、その中央部に突片１０が設けられている。そしてこの突片１０における側上フラップ６ａの高さは端フラップ２、２の幅の１／２より高くなっている。図１に示す例では、突片１０における側上フラップ６ｂの高さは、前記一方の側上フラップ６ａの高さと同じである。この側上フラップ６ｂの突片１０の両角部は円弧状になっている。
【００２１】
一方の側上フラップ６ａの中央部に指掛け部９が設けられている。この指掛け部９は、箱の上面が側上フラップ６ａ、６ｂ及び後述する端上フラップ７、７により箱の上面が閉じられている状態から、箱の上面を開く時に側上フラップ６ａの端縁を引き起こすためのものである。図１に示す例では、指掛け部９は凹形の切欠き状のものからなり、そこに人の指が入る。
【００２２】
さらに、他方の側上フラップ６ｂの端縁の突片１０の両側基部から側パネル１との折線に向けて並行に一対の切込８、８が設けられている。この切込８、８は、側上フラップ６ｂの端縁に対して直交している。この切込８、８は、後述するように、箱の上面で側上フラップ６ｂが端フラップ７、７の上に重ねられたとき、それらの一対の端フラップ７、７の端縁の間に位置するよう設けられている。
【００２３】
端パネル２、２の上辺の折線からは、端上フラップ７、７が延設されている。この端上フラップ７、７の長さ（図１において左右の寸法）は、端パネル２、２の幅より若干狭く、またその高さ（図１において上下の寸法）は、前記側上フラップ６ａと同じである。
【００２４】
このようなブランクから包装用箱は次のようにして組み立てられる。
まず、側パネル１、１、端パネル２、２及び接合フラップ３の間にある折線を何れも９０゜の角度で同じ方向に折り曲げる。さらに、接合フラップ３の外側面に糊を塗布し、この接合フラップ３の外側面を端パネル２の端縁部の内面に貼り付ける。これにより、側パネル１、１と端パネル２、２とで四角筒状の胴部が形成される。
【００２５】
次に、このようにして側パネル１、１と端パネル２、２とで四角筒状の胴部が形成された後、箱の底面を閉じる。底外フラップ４、４と底内フラップ５、５箱をどのようにして閉じて固定するかは特に限定されない。最も一般的には、底内フラップ５、５、底外フラップ４、４の順序でそれらの折線に沿って箱の底面内側に折り曲げ、それらの底内フラップ５、５、底外フラップ４、４をステープル、接着剤、粘着テープ等の固定する。
【００２６】
次に、箱を反転してその上面側を上に向ける。この状態で、開いた箱の上面から収納物を収納する。次に、箱の上面を閉じる。
まず図２に示すようにして、側上フラップ６ａを折線で箱の上面側に約９０゜の角度で折り曲げる。次に、端上フラップ７、７を折線で箱の上面側に約９０゜の角度で折り曲げ、その片方半分を先に折り曲げた側上フラップ６ａの両側部分に重ねる。次に、図３に示すように、側上フラップ６ｂを折線で箱の上面側に約９０゜の角度で折り曲げ、その端縁部分を端上フラップ７、７の中央部、側上フラップ６ａの端縁部に重ねると共に、その両側部分を端パネル７、７の残り片方半分に重ねる。さらに、突片１０を側上フラップ６ａの端縁部の下に押し込む。これにより、図３に示すように側上フラップ６ｂの切込８、８の間の部分は、先に折り曲げた側上フラップ６ａの端縁中央部分の下にあり、切込８、８より外側の部分は端上フラップ７、７の上にある。このため、先に折り曲げた側上フラップ６ａと端フラップ７、７とは、側上フラップ６ｂの切込８、８の間の部分とその両側の部分とによって確実に挟持される。
【００２７】
その後、箱の上面を開けるときは、側上フラップ６ａの指掛け９に指を掛けて側上フラップ６ａを起こし、前記の側上フラップ６ａ、６ｂ及び端上フラップ７、７の係合を解除した後、側上フラップ６ａ、６ｂ及び端上フラップ７、７を起こして箱の上面を開ける。
【００２８】
図４と図５は、本発明による包装用箱の他の実施形態を示すものである。図１〜図３により前述した実施形態では、側上フラップ６ｂの高さを、その突片１０の部分のみ他方の側上フラップ６ａと同じ高さとし、それらを端パネル２の幅の１／２強とし、その両側部分は低くした。これに対し、図４と図５に示すの実施形態では、そのような突片を設けず、側上フラップ６ｂの全体の高さを他方の側上フラップ６ａと同じ高さとし、それらを端パネル２の幅の１／２強とした。
【００２９】
図５はこの包装用箱を組み立て、上面を閉じた状態である。その閉じる手順は基本的に図１〜図３に示した実施形態のものと同じである。すなわち、側上フラップ６ａ、端上フラップ７、７及び側上フラップ６ｂの順で折線から箱の上面側に９０゜折り曲げ、最後に切込８、８の間の部分を側上フラップ６ａの端縁の下に押し込む。
その他の点は、図１〜図３により前述した実施形態による包装用箱と全く同じであり、同じ部分は同じ符号で示している。
【００３０】
図６と図７は、本発明による包装用箱の他の実施形態を示すものである。図１〜図３により前述した実施形態では、指掛け部９を凹状の切欠きにより形成した。これに対し、図６の実施形態では、切欠ではなく、側上フラップ６ａの端縁の中央部を図１に示した凹部と同程度の幅で端縁に対して直角に折線に向かって並行に２本の切り込みを入れ、その端部間を折線としたものである。丁度小フラップのような形状の指掛け部９となる。
【００３１】
図７はこの包装用箱を組み立て、上面を閉じた状態であり、その閉じる手順は基本的に図１〜図３及び図４と図５により前述した実施形態のものと同じである。
図７から明らかな通り、指掛け部９の部分が閉じられる点で図１〜図３や図４と図５により前述した実施形態のものと異なる。その他の点は、図１〜図３により前述した実施形態による包装用箱と全く同じであり、同じ部分は同じ符号で示している。
【００３２】
【発明の効果】
以上説明した通り、本発明による包装用箱では、箱の上面を閉じる動作が、一方の側上フラップ６ａを端上フラップ７、７より先に折り曲げること、及び側上フラップ６ｂの切込８、８の間の部分を先に折り曲げた側上フラップ６ａの下に差し込むこと以外は、他の包装用箱の上面を閉じる動作と異なることが無い。そのため、接着剤、ステープル或いは粘着テープ等を使用せずに、簡単な動作で容易に箱の上面を閉じることが可能である。しかも側上フラップ６ａと端フラップ７、７とは、側上フラップ６ｂの切込８、８の間の部分とその他の部分とによって確実に挟持されるため、上面を閉じた状態を確実に維持することが出来る。
【図面の簡単な説明】
【図１】本発明による包装用箱の一実施形態を示すもので、包装用箱を組み立てるため段ボール等を裁断し、折れ線を入れた状態のブランクの展開図である。
【図２】同包装容器の実施形態において、箱の上面を閉じるため、一方の側上フラップを除いて他の側上フラップと端上フラップとを重ねた状態を示す斜視図である。
【図３】同包装容器の実施形態において、図３の状態からさらに一方の側上フラップの切込の間の部分を他の側上フラップの端縁に差し込み、箱の上面を完全に閉じた状態の斜視図である。
【図４】本発明による包装用箱の他の実施形態を示すもので、包装用箱を組み立てるため段ボール等を裁断し、折れ線を入れた状態のブランクの展開図である。
【図５】同包装容器の実施形態において、図３の状態からさらに一方の側上フラップの切込の間の部分を他の側上フラップの端縁に差し込み、箱の上面を完全に閉じた状態の斜視図である。
【図６】本発明による包装用箱のさらに他の実施形態を示すもので、包装用箱を組み立てるため段ボール等を裁断し、折れ線を入れた状態のブランクの展開図である。
【図７】同包装容器の実施形態において、図３の状態からさらに一方の側上フラップの切込の間の部分を他の側上フラップの端縁に差し込み、箱の上面を完全に閉じた状態の斜視図である。
【符号の説明】
１    側パネル
２        端パネル
６ａ  側上フラップ
６ｂ  側上フラップ
７    端上フラップ
８    切込
９    指掛け部
【図１】
2004359279.tif 000003
【図２】
2004359279.tif 000004
【図３】
2004359279.tif 000005
【図４】
2004359279.tif 000006
【図５】
2004359279.tif 000007
【図６】
2004359279.tif 000008
【図７】
2004359279.tif 000009